(57)【要約】【課題】プレイヤーに対して、ゲームの登場キャラクターがあたかもその場にいるかのような臨場感を提供することを目的とする。【解決手段】女性向けの恋愛シミュレーションゲームのプレイヤーが恋愛シミュレーションゲームにおいて設定された条件を満たしたと判定された場合、条件に応じて、バイノーラル録音ファイルを提供する。【選択図】図１
2016067817.tif 000002
【特許請求の範囲】
【請求項１】
女性向けの恋愛シミュレーションゲームのプレイヤーが恋愛シミュレーションゲームにおいて設定された条件を満たしたと判定された場合、前記条件に応じて、バイノーラル録音ファイルを提供する提供手段を有するシミュレーションゲームシステム。
【請求項２】
前記条件に関連付けて前記バイノーラル録音ファイルをメモリに記憶する記憶手段を更に有し、
前記提供手段は、前記恋愛シミュレーションゲームにおいて設定された条件を満たしたと判定された場合、前記メモリに記憶されている前記バイノーラル録音ファイルのうち、前記条件に関連付けて記憶されているバイノーラル録音ファイルを取得し、提供する請求項１記載のシミュレーションゲームシステム。
【請求項３】
前記バイノーラル録音ファイルはダミーヘッドマイクを介して録音された録音ファイルである請求項１又は２記載のシミュレーションゲームシステム。
【請求項４】
シミュレーションゲームシステムが実行する情報処理方法であって、
女性向けの恋愛シミュレーションゲームのプレイヤーが前記恋愛シミュレーションゲームにおいて設定された条件を満たしたと判定された場合、前記条件に応じて、バイノーラル録音ファイルを提供する情報処理方法。
【請求項５】
コンピュータに、
女性向けの恋愛シミュレーションゲームのプレイヤーが前記恋愛シミュレーションゲームにおいて設定された条件を満たしたと判定された場合、前記条件に応じて、バイノーラル録音ファイルを提供する提供ステップを実行させるためのプログラム。
【請求項６】
情報処理端末装置と、配信サーバ装置と、を含むシミュレーションゲームシステムであって、
前記情報処理端末装置は、
女性向けの恋愛シミュレーションゲームのプレイヤーが前記恋愛シミュレーションゲームにおいて設定された条件を満たしたか否かを判定し、前記条件を満たしたと判定した場合、前記配信サーバ装置に前記条件を識別する条件識別情報を含むバイノーラル録音ファイル取得要求を送信し、前記配信サーバ装置より前記条件識別情報と関連付けられたバイノーラル録音ファイルを取得すると、前記バイノーラル録音ファイルを再生し、
前記配信サーバ装置は、
条件を識別する条件識別情報とダミーヘッドマイクで録音されたバイノーラル録音ファイルとを関連付けて記憶装置に記憶し、前記情報処理端末装置より条件識別情報を含むバイノーラル録音ファイル取得要求を受信すると、前記条件識別情報と関連付けられたバイノーラル録音ファイルを前記記憶装置より取得し、取得したバイノーラル録音ファイルを前記情報処理端末装置に送信するシミュレーションゲームシステム。
【発明の詳細な説明】
【技術分野】
【０００１】
本発明は、シミュレーションゲームシステム、情報処理方法及びプログラムに関する。
【背景技術】
【０００２】
近年、携帯電話、スマートホン、タブレット等に向けて様々なゲームアプリケーション（以下、ゲームアプリという）が提供されている。ゲームアプリには、恋愛シミュレーションゲームアプリがある。恋愛シミュレーションゲームアプリとは、ゲーム中の登場人物とゲーム世界の中で仮想恋愛を体験するゲームアプリである。恋愛シミュレーションゲームアプリにおいて、登場人物の台詞を音声データとして出力することで、ゲームのプレイヤーがよりゲーム中の世界観に没頭できるようにしたものがある（非特許文献１）。
【先行技術文献】
【非特許文献】
【０００３】
【非特許文献１】ときめきレストラン（ときレス）  −  ＫＯＮＡＭＩ、［ｏｎｌｉｎｅ］、［平成２６年８月２７日検索］、インターネット＜ＵＲＬ：ｈｔｔｐ：／／ｗｗｗ．ｋｏｎａｍｉ．ｊｐ／ｔｏｋｉｒｅｓ／＞
【発明の概要】
【発明が解決しようとする課題】
【０００４】
しかし、従来の恋愛シミュレーションゲームアプリでは、音声をスマートホン、タブレット等の音声出力部から単調に出力するのみで、臨場感のある音声をプレイヤーに提供することができなかった。
そこで、本発明は、プレイヤーに対して、ゲームの登場キャラクターがあたかもその場にいるかのような臨場感を提供することを目的とする。
【課題を解決するための手段】
【０００５】
そこで、本発明のシミュレーションゲームシステムは、女性向けの恋愛シミュレーションゲームのプレイヤーが前記恋愛シミュレーションゲームにおいて設定された条件を満たしたと判定された場合、前記条件に応じて、バイノーラル録音ファイルを提供する提供手段を有する。
【発明の効果】
【０００６】
本発明によれば、プレイヤーに対して、ゲームの登場キャラクターがあたかもその場にいるかのような臨場感を提供することができる。
【図面の簡単な説明】
【０００７】
【図１】シミュレーションゲームシステムのシステム構成の一例を示す図である。
【図２】配信サーバのハードウェア構成の一例を示す図である。
【図３】情報処理端末装置のハードウェア構成の一例を示す図である。
【図４】シミュレーションゲームシステムの情報処理の一例を示すシーケンス図である。
【発明を実施するための形態】
【０００８】
以下、本発明の実施形態について図面に基づいて説明する。
【０００９】
図１は、シミュレーションゲームシステムのシステム構成の一例を示す図である。
図１に示される様に、シミュレーションゲームシステムは、配信サーバ装置１０と情報処理端末装置３０とを含む。配信サーバ装置１０と情報処理端末装置３０とは、ネットワーク２０を介して通信可能に接続されている。配信サーバ装置１０とダミーヘッドマイク１１とは、有線又は無線を介して音声データの入出力が可能なように接続されている。情報処理端末装置３０とイヤホン３１とは、有線又は無線を介して音声データの入出力が可能なように接続されている。
配信サーバ装置１０は、ダミーヘッドマイク１１を介したバイノーラル録音により音声データを取得し、前記音声データをバイノーラル録音ファイルとして設定された条件（条件識別情報）と関連付けて記憶する。プレイヤーは、女性向けの恋愛シミュレーションゲームのアプリがインストールされた情報処理端末装置３０を用いて、女性向けの恋愛シミュレーションゲームを実行する。情報処理端末装置３０は、女性向けの恋愛シミュレーションゲームにおいてプレイヤーがある条件を満たしたと判定した場合、前記条件を識別する条件識別情報を含むバイノーラル録音ファイル取得要求を配信サーバ装置１０に対して送信する。配信サーバ装置１０は、情報処理端末装置３０によるバイノーラル録音ファイル取得要求に応じて、前記バイノーラル録音ファイル取得要求に含まれる条件識別情報と関連付けて記憶されているバイノーラル録音ファイルを取得し、情報処理端末装置３０へ送信する。バイノーラル録音とは、ステレオ録音方式の一つで、人間の頭部の音響効果を再現するダミーヘッドマイク等を介して鼓膜に届く状態で音を記録する方式である。情報処理端末装置３０は、要求に応じて配信サーバ装置１０から送信されたバイノーラル録音ファイルを再生し、イヤホン３１に対して出力する。配信サーバ装置１０は、コンピュータ等により実装される。
このような処理により、プレイヤーはイヤホン３１を介して、ゲームの登場キャラクターがあたかも真後ろや自身の横にいるかのように音声を聞くことができる。
図１では説明の簡略化のため配信サーバ装置１０に接続されている情報端末装置は、１つとして記載しているが複数であってもよい。
【００１０】
図２は、配信サーバ装置１０のハードウェア構成の一例を示す図である。
配信サーバ装置１０は、ハードウェア構成として、ＣＰＵ１０１と、ＲＡＭ１０２と、補助記憶装置１０３と、ネットワーク装置１０４と、オーディオＩ／Ｆ装置１０５と、システムバス１０６と、を含む。
ＣＰＵ１０１は、配信サーバ装置１０を制御するための中央処理装置である。
ＲＡＭ１０２は、高速アクセス可能な記憶装置である。ＲＡＭ１０２では、ＣＰＵ１０１が処理する音声データ等のデータが展開されるほか、ＣＰＵ１０１が実行するプログラムが展開される。
補助記憶装置１０３は、ハードディスクやフラッシュメモリ等の記憶装置であり、音声データ、プログラム等が格納される。
ネットワーク装置１０４は、ネットワーク２０を介して、情報処理端末装置３０に接続し、情報の入出力を行う。
オーディオＩ／Ｆ装置１０５は、ダミーヘッドマイク１１に接続し、バイノーラル録音された音声データの入力を受け付ける。
以上の配信サーバ装置１０のハードウェア構成は、システムバス１０６上に配置される。
ＣＰＵ１０１が、補助記憶装置１０３に記憶されたプログラムに基づき処理を実行することによって、配信サーバ装置１０の機能が実現される。
なお、配信サーバ装置１０は、キーボード等の入力装置や、ディスプレイ等の表示装置をハードウェア構成として有していてもよい。
【００１１】
図３は、情報処理端末装置３０のハードウェア構成の一例を示す図である。
情報処理端末装置３０は、ハードウェア構成として、ＣＰＵ３０１と、ＲＡＭ３０２と、補助記憶装置３０３と、ネットワーク装置３０４と、オーディオＩ／Ｆ装置３０５と、表示入力装置３０６と、システムバス３０７と、を含む。
ＣＰＵ３０１は、情報処理端末装置３０を制御するための中央処理装置である。
ＲＡＭ３０２は、高速アクセス可能な記憶装置である。ＲＡＭ３０２では、ＣＰＵ３０１が処理する音声データ等のデータが展開されるほか、ＣＰＵ３０１が実行するプログラムが展開される。
補助記憶装置３０３は、ハードディスクやフラッシュメモリ等の記憶装置であり、音声データ、プログラム等が格納される。
ネットワーク装置３０４は、ネットワーク２０を介し、配信サーバ装置１０に接続し、情報の入出力を行う。
オーディオＩ／Ｆ装置３０５は、イヤホン３１に接続し、イヤホン３１に対して、音声データの出力を行う。
表示入力装置３０６は、表示機能と操作機能とを兼ね揃えたデバイスであり、情報処理端末装置３０のユーザインターフェースとして機能する。表示入力装置３０６は、例えばタッチパネル等で実装される。
以上の情報処理端末装置３０のハードウェア構成は、システムバス３０７上に配置される。
ＣＰＵ３０１が、補助記憶装置３０３に記憶されたプログラムに基づき処理を実行することによって、情報処理端末装置３０の機能が実現される。
【００１２】
図４は、シミュレーションゲームシステムの情報処理の一例を示すシーケンス図である。
Ｓ４０において、ＣＰＵ１０１は、例えば、操作者の入力装置等を介した所定の操作に応じて、バイノーラル録音を開始する。ＣＰＵ１０１は、オーディオＩ／Ｆ装置１０５を介して、ダミーヘッドマイク１１よりダミーヘッドマイク１１においてバイノーラル録音された音声データを取得する。そして、ＣＰＵ１０１は、取得した音声データに基づきバイノーラル録音ファイルを生成し、ゲーム中で前記音声データの再生が行われる条件を示す条件識別情報と関連付けて、補助記憶装置１０３に記憶する。例えば、ゲームのある場面で、プレイヤーのキャラクターの耳元でゲームの主人公のキャラクターがセリフを囁く場合、声優等にダミーヘッドマイク１１の耳元で設定されたセリフを囁いてもらう。ダミーヘッドマイク１１は、前記セリフをバイノーラル録音し、音声データを生成する。ＣＰＵ１０１は、この音声データを取得し、音声データに基づきバイノーラル録音ファイルを生成し、ゲーム中で前記音声データの再生が行われる条件を示す条件識別情報と関連付けてバイノーラル録音ファイルを補助記憶装置１０３に記憶する。
Ｓ４１において、ＣＰＵ３０１は、プレイヤーの操作に基づき、ゲーム中で特定のバイノーラル録音ファイルを再生する条件（例えば、プレイヤーのキャラクターがゲームの主人公のキャラクターに告白されることになった等）が満たされたことを検知する。
Ｓ４２において、ＣＰＵ３０１は、配信サーバ装置１０に対して、Ｓ４１で満たされた条件を示す条件識別情報を含むバイノーラル録音ファイル取得要求を送信し、前記条件識別情報に対応するバイノーラル録音ファイルを要求する。
Ｓ４３において、ＣＰＵ１０１は、Ｓ４２で送信されたバイノーラル録音ファイル取得要求を受信し、前記バイノーラル録音ファイル取得要求に含まれる条件識別情報に基づき補助記憶装置１０３を検索する。そして、ＣＰＵ１０１は、補助記憶装置１０３に記憶されたバイノーラル録音ファイルの中から、前記条件識別情報と関連付けて記憶されたバイノーラル録音ファイルを取得する。
Ｓ４４において、ＣＰＵ１０１は、バイノーラル録音ファイル取得要求を送信してきた情報処理端末装置３０に対して、Ｓ４３で取得したバイノーラル録音ファイルを送信する。
Ｓ４５において、ＣＰＵ３０１は、Ｓ４４で送信されたバイノーラル録音ファイルを再生し、オーディオＩ／Ｆ装置３０５を介して接続されたイヤホン３１に対して出力する。このようにすることにより、条件に応じたバイノーラル録音ファイルがプレイヤーのイヤホン３１において出力される。例えば、上述した例の場合、プレイヤーはまるで耳元で主人公のキャラクターがセリフを囁いているように音声を聞くことができる。
本実施形態の処理により、シミュレーションゲームシステムは、女性向けの恋愛シミュレーションゲームのプレイヤーに対して、ゲームの登場キャラクターがあたかもその場にいるかのような臨場感を提供できるようになる。
【００１３】
（変形例）
上述した実施形態において、配信サーバ装置１０は、ダミーヘッドマイク１１を介したバイノーラル録音により音声データを取得し、前記音声データを記憶することとした。しかし、配信サーバ装置１０は、バイノーラル録音可能なイヤホンマイク等を介したバイノーラル録音により音声データを取得し、前記音声データを記憶することとしてもよい。また、配信サーバ装置１０は、バイノーラル録音された音声データを外部から、ネットワーク、ＵＳＢメモリ等を介して取得し、記憶することとしてもよい。
また、上述した実施形態において、情報処理端末装置３０は、要求に応じて配信サーバ装置１０から送信されたファイルを再生し、イヤホン３１に対して出力することとした。しかし、情報処理端末装置３０は、要求に応じて配信サーバ装置１０から送信されたファイルを再生し、ヘッドホン、立体音響システム等に対して出力することとしてもよい。
【符号の説明】
【００１４】
１０  配信サーバ装置、３０  情報処理端末装置
【図１】
2016067817.tif 000003
【図２】
2016067817.tif 000004
【図３】
2016067817.tif 000005
【図４】
2016067817.tif 000006